(57)【特許請求の範囲】
【請求項１】
操作ボタンを操作する毎に、操作対象機器を示すキャラクタを表示手段より前記操作ボタン上に表示するスイッチ部と、操作対象機器を設定する対象機器設定手段と、この対象機器設定手段の出力より、設定された操作対象機器を判定する対象機器判定手段と、この判定された操作対象機器より、前記操作ボタンが現在操作される操作対象機器の次に操作する操作対象機器を決定する操作順序決定手段と、この操作順序決定手段で決定された前記各操作対象機器の操作順序に従って前記現在操作される操作対象機器と次に操作される操作対象機器とをそれぞれ示すキャラクタを生成して前記表示手段に送る画像生成手段と、前記操作ボタンの操作を検出して前記画像生成手段に伝える操作検出手段とを備え、
前記画像生成手段は前記操作検出手段の操作検出結果に基づき、現在操作される操作対象機器と次に操作される操作対象機器とをそれぞれ示すキャラクタを更新することを特徴とする表示機能付多機能スイッチ装置。
【請求項２】
前記対象機器設定手段は、操作対象機器を少なくとも２つ設定し、これら操作対象機器を切り替え設定することを特徴とする請求項１に記載の表示機能付多機能スイッチ装置。
【請求項３】
前記操作ボタンは、現在操作される操作対象機器に対して次に操作される複数の操作対象機器の内、少なくとも２つを切り替えて選択できるスイッチ部を備え、前記画像生成部は、次に操作される操作対象機器を示すキャラクタ画像を少なくとも２つ生成して前記表示手段に送ることを特徴とする請求項１に記載の表示機能付多機能スイッチ装置。
【請求項４】
前記画像生成部は、前記操作ボタンによる次に操作される操作対象機器の選択時、前記表示手段に表示された現在操作される操作対象機器のキャラクタを、選択された次に操作される操作対象機器のキャラクタの表示にスクロールして前記表示手段のキャラクタを更新することを特徴とする請求項１ないし３のいずれかに記載の表示機能付多機能スイッチ装置。
【発明の詳細な説明】
【０００１】
【発明の属する技術分野】
本発明は、現在選択されているスイッチの機能をスイッチの操作部に表示すると共に、次に選択可能な機能を同時に表示する表示機能付多機能スイッチ装置に関するものである。
【０００２】
【従来の技術】
例えば、自動車のセンターコンソールに集中配置されるカーステレオや他のオーディオ機器等の電装品は、動作内容選択用の操作ボタンを各々必要としており、旧来は各電装品毎に個別の操作ボタンを各々用意してセンタコンソール上に配置していた。
【０００３】
しかし、各電装品とも技術の進歩により機能が多様化し始め、それに伴い必要とする操作ボタンの数が増えてきたため、限られたスペースのセンターコンソール上に必要とするすべての操作ボタンを配置することが次第に困難になり、また、多数の操作ボタンの存在によりセンターコンソールの意匠上の美観をともすれば損ないかねない状況に至っていた。
【０００４】
このような状況を改善するために、これまでに提案された従来技術の代表的な例の１つとして、例えば特開平９−１９８１７６号公報に開示された電子機器があり、この電子機器では、操作ボタンの後部に液晶ディスプレイを配置し、液晶ディスプレイの表示を変化させることで、操作ボタンの透明部又は貫通孔を介して視認される操作ボタンの機能表示を変化させるようにしている。
【０００５】
【発明が解決しようとする課題】
従来の操作ボタンは、操作ボタンの機能を液晶ディスプレイにより表示し、且つ、スイッチの機能が変わる毎に液晶ディスプレイの表示をその機能に応じて更新していた。しかし、現在の表示からは現操作ボタンの機能が次にどのような機能に変更可能であるかは、実際に操作ボタンの機能切替え動作を行うまで不明であり、目的とする機能に切り替えるまでに時間を要するという問題点があった。
【０００６】
そこで、本発明は上記のような問題点を解消するためになされたものであり、現在、所定の機能を果たしているスイッチが次にどのような機能に切り替え可能であるかスイッチの操作部より容易に判断することができる表示機能付多機能スイッチ装置を得ることを目的とする。
【０００７】
【課題を解決するための手段】
前記目的を達成するために本発明の請求項１に係る表示機能付多機能スイッチ装置は、図１の基本構成図で示すように、操作ボタンを操作する毎に、操作対象機器を示すキャラクタを表示手段より前記操作ボタン上に表示するスイッチ部と、操作対象機器を設定する対象機器設定手段と、この対象機器設定手段の出力より、設定された操作対象機器を判定する対象機器判定手段と、この判定された操作対象機器より、前記操作ボタンが現在操作される操作対象機器の次に操作する操作対象機器を決定する操作順序決定手段と、この操作順序決定手段で決定された前記各操作対象機器の操作順序に従って前記現在操作される操作対象機器と次に操作される操作対象機器とをそれぞれ示すキャラクタを生成して前記表示手段に送る画像生成手段と、前記操作ボタンの操作を検出して前記画像生成手段に伝える操作検出手段とを備え、前記画像生成手段は前記操作検出手段の操作検出結果に基づき、現在操作される操作対象機器と次に操作される操作対象機器とをそれぞれ示すキャラクタを更新するものである。
請求項２の発明に係る表示機能付多機能スイッチ装置の対象機器設定手段は、操作対象機器を少なくとも２つ設定し、これら操作対象機器を切り替え設定するものである。
請求項３の発明に係る表示機能付多機能スイッチ装置の操作ボタンは、現在操作される操作対象機器に対して次に操作される複数の操作対象機器の内、少なくとも２つを切り替えて選択できるスイッチ部を備え、前記画像生成部は、次に操作される操作対象機器を示すキャラクタ画像を少なくとも２つ生成して前記表示手段に送るものである。
請求項４の発明に係る表示機能付多機能スイッチ装置の画像生成部は、前記操作ボタンによる次に操作される操作対象機器の選択時、前記表示手段に表示された現在操作される操作対象機器のキャラクタを、選択された次に操作される操作対象機器のキャラクタの表示にスクロールして前記表示手段のキャラクタを更新するものである。
【０００８】
【発明の実施の形態】
実施の形態１．
次に、本発明の実施の形態１にかかる表示機能付多機能スイッチ装置を各添付図面に基づいて説明する。尚、以下、表示機能付多機能スイッチ装置を「単に、スイッチ装置」と略記する。
先ず、本実施の形態を説明するに当たり、本発明に係るスイッチ装置が適用される対象の一例を図２を参照して説明する。
図２は本発明のスイッチ装置が適用可能なセンターコンソールを含む自動車のダッシュボード回りの要部斜視図であり、図中、１はダッシュボード、３はインストルメントパネルを示し、このインストルメントパネル３の車幅方向略中央部にセンタコンソール５が配置されている。このセンタコンソール５には、カーナビゲーション用の画面７やエアコン出口９とアシュトレイ１１とに上下を挟まれて、本実施の形態１に係るスイッチ装置１３Ａが組み込まれている。
【０００９】
このスイッチ装置１３Ａは、図３に本実施の形態１に係るスイッチ装置の要部正面図で示すように、表示機能付きマルチファンクションスイッチ（以下、ＭＦスイッチと記載する）１３、図示しない車内におけるテレビの操作予約のボタン、ＣＤの操作予約ボタン、カセットテープの操作予約ボタン、カーラジオの操作予約ボタン等から構成される予約設定ボタン１５が配置されている。
【００１０】
ＭＦスイッチ１３は図４にその断面図を示すようにプッシュタイプのスイッチ（以下、プッシュスイッチと略記する。）、また、図５にその平面図を示すようにシーソタイプのスイッチ（以下、シーソスイッチと略記する。）から構成される。
プッシュスイッチを用いたＭＦスイッチ１３は透明のアクリル樹脂からなるキートップ１３ａの一部がスイッチパネルＰの表面に露呈し、且つ、キートップ１３ａはスイッチパネルＰの裏面において一端が軸１３ｂにより軸支され、他端はスイッチパネル１３ａの背後に配置されたスイッチ１３ｃの押しボタン部分に当接するようになる。従って、スイッチパネルＰ側よりキートップ１３ａを押下すると、キートップ１３ａは軸１３ｂの回りを回転してスイッチ１３ｃの押しボタン部分を押圧してＯＮ動作させる。
【００１１】
キートップ１３ａの背後にはスイッチ１３ｃと同一平面上にＥＬ素子からなる表示デバイス１３ｄが配置されている。この表示デバイス１３ｄにはＭＦスイッチ１３の現在選択されている機能がアイコンと共に文字表示される。また、表示デバイス１３ｄには、現在選択されている機能の表示と同時に、ＭＦスイッチ１３を操作した場合に切り替わる次の機能が、現在選択されている機能の文字表示とは異なる表示形態で文字表示される。
尚、表示デバイス１３ａは、ＥＬ素子に限らず、ＶＦＤ，ＦＥＤ，ＬＣＤなどのフラットパネルディスプレイなら何れでも使用可能である。
【００１２】
また、図５にその平面図を示すシーソスイッチを用いたＭＦスイッチ１３は、同じくキートップ１３ｇの一部はスイッチパネルＰの上面に露呈し、且つ、キートップ１３ａは裏面において中心より上下方向に一対の軸受けを形成し、この軸受けに通して軸１３ｅによりスイッチパネルＰの裏面に回転自在に軸支されている。  また、キートップ１３ａの裏面には一方の軸受けが形成されている一側面の各端部に下方に向けて突起部を形成している。そして、各突起部の下方にはそれぞれスイッチ１３ｆの押しボタン部分が配置されている。キートップ１３ｇの背後にはスイッチ１３ｆと同一平面に、例えばＥＬ素子による表示デバイス１３ｄが配置されている。
【００１３】
従って、スイッチパネルＰ側よりキートップ１３ｇの右端を押下すると、キートップ１３ｇは軸１３ｅの回りを回転して右端側の突起部で右端側のスイッチ１３ｆの押しボタン部分を押圧してＯＮ動作させ、また、キートップ１３ｇの左端を押下すると、キートップ１３ｇは軸１３ｅの回りを回転して左端側の突起部で左端側のスイッチ１３ｆの押しボタン部分を押圧してＯＮ動作させる。
【００１４】
プッシュスイッチを用いたＭＦスイッチ１３を構成する表示デバイス１３ｄは、図６（ａ）〜（ｄ）に示すデフォルトモード表示のように現在選択されている機能（機器）、例えば、ＣＤ（コンパクトディスク）を示すアイコンと「ＣＤ」を示す文字共に、当該スイッチの操作により次に選択される機器、例えば、「ＭＤ」（ミニディスク）という文字が「ＣＤ」という文字と異なる表示形態で「ＣＤ」という文字の隣に同時に表示される。
【００１５】
即ち、図６（ａ）を参照して表示デバイスの表示変化を説明するならば、最初、表示デバイス１３ｄに現在選択されている機能としてＣＤのアイコンが表示されたならば、アイコンの下に、例えば、黒地に白の内抜きで「ＣＤ」という文字を表示し、この「ＣＤ」という文字の隣に次に選択される「ＭＤ」という文字を通常の表示形態で表示する。この文字の表示形態の違いによりユーザ、例えば運転者はＭＦスイッチ１３を操作するとＣＤプレーからＭＤプレーに切り替わることが判断できる。
【００１６】
表示デバイス１３ｄがこの様な表示形態において、ＭＦスイッチ１３を押下すると、ＭＦスイッチ１３ｄは機能としてＭＤを選択し、アイコンはＣＤよりＭＤに変わると共に、現在選択されている機能を示す文字として「ＣＤ」より「ＭＤ」に変わり、次に選択される機能を示すＣＤＣが、ＭＤの隣に表示される。
【００１７】
更に、ＭＦスイッチ１３を押下すると、ＭＦスイッチ１３ｄは機能としてＣＤＣを選択し、アイコンはＭＤよりＣＤＣに変わると共に、現在選択されている機能を示す文字として「ＭＤ」より「ＣＤＣ」に変わり、次に選択される機能を示す文字として「ＭＤＣ」が「ＣＤＣ」の文字の隣に表示される。
【００１８】
更に、ＭＦスイッチ１３を押下すると、ＭＦスイッチ１３ｄは機能としてＭＤＣを選択し、アイコンはＣＤＣよりＭＤＣに変わると共に、現在選択されている機能を示す文字として「ＣＤＣ」より「ＭＤＣ」に変わり、次に選択される機能を示す文字として「ＣＤ」が「ＭＤＣ」の文字の隣に表示される。
そして、更に、ＭＦスイッチ１３を押下すると再び最初の表示形態に戻り、現在選択されている機能をＣＤとし、次に選択される機能をＭＤと設定される。
【００１９】
図６（ａ）に示す表示形態では、現在選択されている機能を示す文字と次に選択される機能を示す文字の配置関係が、現在選択されている機能によっては異なり、次に選択される機能を即座に判別できないこともある。
そこで、図６（ｂ）に示すように、現在選択されている機能を示す文字より次に選択される機能を示す文字に向けて矢印を表示してもよい。
尚、矢印表示を行う替わりに、図６（ｃ）に示すように、現在選択されている機能を示す文字と次に選択される文字との配置関係を決め、例えば、現在選択されている機能を示す文字の右隣に次に選択される機能を示す文字を表示してもよい。
【００２０】
更に、図６（ｃ）に示すように機能が切り替わる様子をアニメーションによりスクロール表示してもよい。即ち、ＭＦスイッチ１３を押下して機能をＣＤよりＭＤに切り替え動作を行うと、表示面において、一方向に、例えば右から左にＣＤのアイコンと共に各文字が流れ、それらの流れに準じて右側より現在選択したＭＤのアイコンと共に、現在選択した機能（ＭＤ）を示す文字と次に選択される機能（ＣＤＣ）を示す文字とが流れてきて、最終的に、表示デバイス１３ｄの表示面はＣＤＣのアイコンと、現在選択した機能（ＭＤ）を示す文字及び次に選択される機能（ＣＤＣ）を示す文字がそれぞれ表示形態を変えて表示される。
【００２１】
また、図６（ｄ）に示す様に、現在選択した機能を示す文字と次に選択される機能を示す文字との配置関係を定めた場合でも、各文字間に選択方向を示す矢印を表示してもよい。
【００２２】
上記説明では、ＭＦスイッチの１３の押下毎に、同一種の記憶媒体、例えば、ＣＤ，ＭＤ，ＣＤＣ，ＭＤＣを順次切り替え選択する場合について説明した。
しかし、図７（ａ）に示すように、切り替え対象を同一種の機能に限らず、テレビからＣＤあるいはカセットテープからカーラジオに切り替え選択させるようにしてもよい。これはユーザが任意に設定できる。
【００２３】
これまでの説明では、１つのプッシュスイッチを用いたＭＦスイッチ１３で種々の機能をサイクリックに選択する場合を示したが、ＭＦスイッチ１３に図５に示すシーソスイッチを使用することで、単一のＭＦスイッチ１３で現在選択されている機器に対して次に選択される機器を２種類設定することができる。
【００２４】
即ち、図７（ｂ）に示す様に、表示デバイス１３ｄの表示面には、現在選択されている機器としてテレビのアイコンを表示し、アイコンの真下にテレビを示す「ＴＶ」の文字を表示し、その文字の左側にＭＦスイッチ１３の左端の部分を押下すると次に選択される機器であるカーラジオのＦＭ放送を示す「ＦＭ」の文字を、また、現選択されている機器を示す「ＴＶ」の文字の右側にＭＦスイッチ１３の右端を押下すると次に選択される機器であるＣＤプレーヤを示す「ＣＤ」の文字をそれぞれ表示する。
【００２５】
この結果、ＭＦスイッチ１３をＣＤと表示された部分を押下すると、現在選択された機能はＣＤに切り替わりアイコンはテレビからＣＤに切り替わり、現選択された機器を示す文字も「ＣＤ」に切り替わる。このとき、「ＣＤ」の文字の左側に表示される次に選択される機器を示す文字は「ＴＶ」、「ＣＤ」の文字の右側に表示される次に選択される機器を示す文字は「ＭＤ」に切り替わる。
【００２６】
更に、ＭＤと表示された文字の部分を押下すると、現在選択された機能はＭＤに切り替わりアイコンはＣＤからＭＤに切り替わり、現選択された機器を示す文字も「ＭＤ」に切り替わる。このとき、「ＭＤ」の文字の左側に表示される次に選択される機器を示す文字は「ＣＤ」、「ＭＤ」の文字の右側に表示される次に選択される機器を示す文字は「ＴＡＰＥ」に切り替わる。
【００２７】
このようにＭＦスイッチ１３にシーソスイッチを使用すると、各機器の切り替え選択順序の設定によっては少ないスイッチの操作回数で所望する機能に切り替え選択することができる。
尚、図７（ｃ）に示すように、現在選択されている機器を示す文字とこの文字の左右の各次に選択される機器を示す文字との間に、次に選択される機器を選択する際の操作方向を示す矢印を表示してもよい。
【００２８】
上記説明では、プッシュスイッチを用いたＭＦスイッチ１３による切り替え選択の対象をオーディオ機器としたが、ＭＦスイッチ１３を、予めプリセットした複数のラジオ局を各受信周波数の切り替えにより順次切り替え選択する用途に用いることも可能である。
【００２９】
例えば、図８（ａ）に示すように、表示デバイスの１３ｄの表示面に、現在選択されている受信周波数７７．１という数字と、この数字の右隣に次に選択される受信周波数７８．０をそれぞれ表示形態を変えて表示すると共に、これらの数字の下に現在選択されているプリセット番号であるＰＲＥＳＥＴ１を表示する。
このような表示状態でＭＦスイッチ１３を押下すると現在選択されている受信周波数は表示されていた次に選択される受信周波数７８．０に切り替わり、次に選択される受信周波数は７９．５に切り替わる。それと同時に現在選択されているプリセット番号もＰＲＥＳＥＴ２に切り替わる。
【００３０】
また、受信周波数の切り替え選択にシーソスイッチを用いたＭＦスイッチ１３を使用することで、より少ないスイッチ操作回数で所望の放送局を選択できる。
シーソスイッチを用いたＭＦスイッチ１３の表示例として、例えば、図８（ｂ）に示すように、表示デバイス１３ｄの表示面の中央に現在選択されている受信周波数７７．１という数字を表示する。そして、受信周波数７７．１の左隣に次に選択される第１の受信周波数８１．３を、且つ、受信周波数７７．１の右隣に次に選択される第２の受信周波数７８．０を、受信周波数７７．１とは表示形態を変えて表示すると共に、受信周波数７７．１の下に現在選択されているプリセット番号であるＰＲＥＳＥＴ１を表示する。
【００３１】
このような表示状態でＭＦスイッチ１３のキートップ１３ｇの表面に表示された７８．０の部分を押下すると、現在選択されている受信周波数７７．１は表示されていた次に選択される受信周波数７８．０に切り替わり、次に選択される第２の受信周波数は７８．０から７９．５に切り替わり、次に選択される第１の受信周波数は８１．３から７７．１に切り替わる。それと同時に現在選択されているプリセット番号もＰＲＥＳＥＴ２に切り替わる。
【００３２】
また、図８（ｃ）に示すように第１の受信周波数および第２の受信周波数を示す数字の上に、次の受信周波数を選択する際の操作方向を示す矢印で表示してもよい。
【００３３】
次に、本実施の形態１に係る表示機能付多機能スイッチ装置の電気的な概略構成について説明する。
本実施の形態１に係る表示装置付多機能スイッチ装置は、図１５に電気的な概略構成のブロック図で示すように、上述した表示デバイス１３ｄをスイッチ１３ｃ（プッシュスイッチの場合）または１３ｆ（シーソスイッチの場合）による押下動作に伴って表示制御するマイクロコンピュータ（以下、「マイコン」と略記する。）１６は、ＣＰＵ１６ａ、ＲＡＭ１６ｂ、ＲＯＭ１６ｃより構成されている。
【００３４】
この内ＣＰＵ１６ａは図示しないＣＤ、ＭＤ、ＣＤＣ、ＭＤＣ、ＴＶ、ＴＡＰＥ、カーラジオのＦＭ放送、ＡＭ放送を、適宜、切り替え選択対象として予めＣＰＵ１６ａに予約させる信号を出力する予約設定ボタン１５ａ〜１５ｈが各入出力ポートを介して接続されている。また、ＣＰＵ１６ａの出力ポートには切り替え選択対象である各オーディオ機器、例えばＣＤ，ＭＤ，ＣＤＣ，ＭＤＣの各再生機器１７ａ〜１７ｄ、それにテレビ受像器１７ｅ、カーラジオ１７ｆがそれぞれインタフェースＩ／Ｆを通して接続されている。
【００３５】
また、ＣＰＵ１６ａの入出力ポートにはＭＦスイッチ１３が接続され、このＭＦスイッチ１３における表示デバイス１３ｄの表示内容は、スイッチの押下動作に伴って表示内容データがＣＰＵ１６ａより読み出され、表示デバイス１３ｄに送られて画面更新される。スイッチの押下動作に伴って読み出される表示内容データの読み出順序は、予約設定ボタン１５ａ〜１５ｈによって設定された各機器を何れの順序で「現在選択されている機器」に切り替えて行くかで決まる。また、表示内容データは機器を対象したデータでなく、ラジオ放送局を特定する各受信周波数あるいはテレビ局の受信チャンネル数の表示内容データであってもよい。
【００３６】
また、前記ＲＡＭ１６ｂには、データエリア及び各種処理作業に用いるワークエリアが設けられている。このワークエリアには、各種フラグやバッファのために用いるエリア等が設けられている。また、ＲＯＭ１６ｃには、ＣＰＵ１６ａに各種処理動作を行わすための制御プログラムが格納されている。
【００３７】
次に、ＲＯＭ１６ｃに格納された制御プログラムに従いＣＰＵ１６ａが行う処理を、先ず、図１６、図１７のフローチャートを参照して説明する。
図１６に示すフローチャートは図６に示す機能切り替え選択に伴う表示制御処理を説明するものである。
【００３８】
先ず、図示しないアクセサリスイッチのＯＮにより、自動車に搭載された図示しないバッテリ等からの給電を受けてマイコン１６が起動しプログラムがスタートすると、ＣＰＵ１６ａは、先ず、ＲＡＭ１６ｂの各種フラグエリアを「０」に設定する等の初期化を行う（ステップＳ１）。
【００３９】
初期化が終了したならば、ＭＦスイッチを１３接続する入出力ポートより信号を入力し、スイッチの形式がプッシュスイッチかシーソスイッチであるかを判定する（ステップＳ３）。ここでプッシュスイッチであることが判定されたならば、例えば、ＣＤ，ＴＶ、ＭＤ等の予約設定機能（機器）を各入力ポートより取り込んだ信号より判定する（ステップＳ７）。この判定の結果、予約設定機器は、例えば、ＣＤ、ＭＤ、ＣＤ、ＭＤＣの各再生機器であると、次に、所定の機器を現在選択されている機器と設定した場合、この機器に対して次に選択される機器を決定し、選択順序を決定する（ステップＳ９）。この選択順序としては例えば、図６に示すように、現在選択されている機器をＣＤとした場合、次選択される機器をＭＤとし、現在選択されている機器をＭＤとした場合、次選択される機器をＣＤＣとし、現在選択されている機器をＣＤＣとした場合、次選択される機器をＭＤＣとし、現在選択されている機器をＭＤＣとした場合、次選択される機器をＣＤとする。
【００４０】
以上のように機能選択順序が決定されたならば、表示デバイス１３ｄの表示面を初期化し（ステップＳ１１）、図６に示すように表示面に現在選択されている機器をとしてＣＤのアイコンを表示すると共に、アイコンの下に「ＣＤ」の文字と次に選択される機器を示す「ＭＤ」の文字を、表示形態を変えて一列に表示する。この状態であればＣＤの稼働状態となるが（ステップＳ１３）、ＭＤを稼働させたい場合はＭＦスイッチ１３を押下（ＯＮ）する（ステップＳ１５）。
【００４１】
この結果、表示内容は図６に示すようにアイコンをＭＤとし、次に選択される機器を示すＣＤＣの文字を表示して表示内容を更新する（ステップＳ１７）。そして、ＭＤを稼働させる（ステップＳ１９）。しかし、現在選択させる機器をＭＤＣとしたい場合は、更に、ステップＳ２１〜Ｓ２７の処理を行い、ステップＳ２９において現在選択させる機器であるＭＤＣのアイコンを表示して表示内容を更新する。そしてＭＤＣ稼働状態とする（ステップＳ３１）。
【００４２】
次に、ステップＳ３においてシーソスイッチが選択されたならば、図１７に示すフローチャートの処理に入り、図７（ｂ）に示すように現在選択されている機器の両側に次に選択される機器が表示されるように表示デバイスの表示面を更新する。
先ず、表示制御処理として、表示面を図７（ｂ）に示すように現在選択されている機器であるテレビを示すアイコンを表示、アイコンの下に「ＴＶ」の文字を、「ＴＶ」の文字の右側には次に選択される機器である「ＣＤ」の文字を、「ＴＶ」の文字の左側には同じく次に選択されるカーラジオにおけるＦＭバンドを示す「ＦＭ」の文字を表示する（ステップＳ５０１）。
【００４３】
このような、表示状態においてはテレビの稼働状態とあるが、実際、運転者がＣＤをかけたい場合は、シーソスイッチ（ＳＳＷ）のキートップ１３ｇ右端のＣＤと表示されている部分を押下するとスイッチはＯＮし（ステップＳ５０３）、それに伴い表示デバイス１３ｄの表示内容は更新（画面更新）され（ステップＳ５０５）、表示面には現在選択されている機器であるＣＤを示すアイコンが表示され、アイコンの下にＴＶに替わり「ＣＤ」の文字が表示され、「ＣＤ」の文字の左側には次に選択される機器である「ＴＶ」の文字が、また、「ＣＤ」の文字の右側には次に選択される機器である「ＭＤ」の文字がそれぞれ表示される。そして、ＣＤは稼働状態となる。
【００４４】
更に、運転者がＭＤに切り替えたい場合は、キートップ１３ｇの右端でＭＤと表示されている部分を押下するとスイッチはＯＮし（ステップＳ５０９）、それに伴い表示デバイス１３ｄの表示内容は更新され（ステップＳ５１１）、表示面には現在選択されている機器であるＭＤを示すアイコンが表示され、アイコンの下にＣＤに替わり「ＭＤ」の文字が表示され、「ＭＤ」の文字の左側には次に選択される機器である「ＣＤ」の文字が、また、「ＭＤ」の文字の右側には次に選択される機器であるカセットレコーダを示す「ＴＡＰＥ」の文字がそれぞれ表示される。そして、ＭＤは稼働状態となる（ステップＳ５１３）。
【００４５】
しかし、ＭＤよりＣＤに切り替える場合は、キートップ１３ｇのＣＤと表示されている部分を押下するとスイッチはＯＮし（ステップＳ５１５）、それに伴い表示デバイス１３ｄの表示内容は更新前の表示内容に更新される（ステップＳ５０５）。
【００４６】
実施の形態２．
上記実施の形態１は、スイッチの各押下動作により現在選択されている機能が変わると共に、表示内容が替わるマルチファンクションスイッチを用いたので、運転者が要求する機能を選択するまでに多くのスイッチ操作が必要とされた。
【００４７】
そこで、本実施の形態は、図９に示すようにスイッチ装置１３ＡのスイッチパネルＰに、設定予約ボタンに替えてダイレクト切り替えボタン（以下、ＤＰＢと記載する。）１５Ａを設ける。このＤＰＢ１５Ａは、単一のボタン操作で、ＭＦスイッチ１３の各表示面１３１〜１３４の表示を、図１３に示すように通常のテレビチャネル案内表示および受像器切り替え表示（テレビモード）からＤＶＤ用画面またはテレビゲーム画面の案内表示（オプションモード）に、またその逆に切り替えるダイレクト切り替えボタン（以下、ＤＰＢと記載する。）１５Ａ１、また、図１０に示すように、一枚差しＣＤのプレーヤあるいは複数枚のＣＤを連続切り替え演奏するチェンジャーの動作案内表示（ＣＤモード）から一枚差しＭＤのプレーヤあるいは複数枚のＭＤを連続切り替え演奏するチェンジャーの動作案内表示（ＭＤモード）に、また、その逆に切り替えるＤＰＢ１５Ａ２、更に、図１４に示すように、ＡＭ放送の切り替え案内表示と共に受信周波数案内表示（ＡＭチュナーナモード）からＦＭ放送の切り替え案内表示と共に受信周波数案内表示（ＦＭチュナーナモード）に切り替え、また、その逆に切り替えるＤＰＢ１５Ａ３を備える。
【００４８】
尚、上記、ＤＰＢ１５Ａ２は、図１１に示すスイッチ装置１３ＡのスイッチパネルＰに表されているように一枚差しのＣＤあるいはＭＤに対するプレーヤの動作案内表示（一枚プレーヤモード）から複数のＣＤあるいは複数のＭＤＣをそれぞれ切り替えながら連続演奏するチェンジャー（チェンジャーモード）に、また、その逆に切り替えるＤＰＢと設定してもよい。その場合、図１２に示す内容が表示面１３２に表示される。
即ち、一枚差しＣＤあるいはＭＤのプレーヤの動作案内表示（一枚プレーモード）からから複数枚のＣＤまたはＭＤＣを連続切り替え演奏するチェンジャーの動作案内表示（チェンジャーモード）に切り替え、また、その逆に切り替える。
尚、ＤＰＢによる切り替え対象の設定はユーザにより任意に設定することもできる。
【００４９】
次にＤＰＢの押下動作によるモード切替に伴うＭＦスイッチ１３の各表示面１３１〜１３５の切り替え処理を、図１８〜図２０に示す各フローチャートに従って説明する。尚、処理説明に当たり切り替え対象となる機器は異なるが、各表示面１３１〜１３５に表示される内容が実質変わらないものに関しては説明が重複するため、説明を省略し特徴的な処理に関して説明を進める。
【００５０】
先ず、図１８に示すフローチャートに従って説明を進めるならば、ＣＰＵ１６ａは予約設定ボタンに代えてＤＰＢより信号が入力されると（ステップＳ３５）、信号が入力された入力ポートアドレスよりＤＰＢ１５Ａ１〜１５Ａ３の何れのＤＰＢより切り替え信号が入ったか判定する。このとき例えばＣＤモードとＭＤモードとを切り替えるＤＰＢ１５Ａ２より信号が入力されたと判定されたならば（ステップＳ４１）、モード判定２の処理に入る（ステップＳ４３）。
【００５１】
モード判定２は、モード切り替えはＣＤモード切り替えか、あるいはＭＤモード切り替えかを判定し（ステップＳ４３１）、例えば、ＭＤモード切り替えであることが判断されたならば、ＭＦスイッチ１３の各表示面１３１〜１３４を図１０に示すＭＤモードの内容にあった表示内容とする（ステップＳ４３５）。ＭＤモードにおける表示内容として初期時は、プッシュスイッチを使用したＭＦスイッチ１３のキートップ（表示面）１３１には現在選択されている機器を示すＭＤのアイコンと次に選択される機器を示すＭＤＣのアイコンがそれぞれ表示形態を変えて左右に表示される共に、各アイコンの下にはそれぞれＭＤ、ＭＤＣの文字が同じく表示形態を変えて表示される。
【００５２】
表示面１３２は最初単に「ＰＬＡＹ  ＭＯＤＥ」という文字を表示する。表示面１３３は表示無しとし、表示面１３４はシーソスイッチを使用したＭＦスイッチ１３のキートップであり、この表示面１３４にはＭＤの演奏トラックを示す「ＴＲＡＣＫ」という文字と数値表示が変わるトラック番号が表示され、これら表示の下にはトラックを進める際の操作記号が表示面１３４の右側に、また、表示面１３４の左側にはトラックを戻す際の操作記号がそれぞれ表示される。
【００５３】
ＭＤモードに表示されたならば、図２０（ａ）のフローチャートに示されるように表示面１３１を有するＭＦスイッチ（ＳＷ１）が次に選択される機器を設定するためにＯＮされたか、ＭＦスイッチより出力されるＳＷ１信号を検出し、ＭＦスイッチがＯＮか否かを判定する（ステップＳ４３５−１，Ｓ４３５−３）。
ＳＷ１がＯＮでないことが判定されたならば、現在選択されている機器であるＭＤの稼働を開始する（ステップＳ４３５−５）。しかし、ステップＳ４３５−３においてＳＷ１がＯＮであることが判定されたならば、表示面１３１と１３３の表示内容を更新する（ステップＳ４３５−９）。
【００５４】
表示内容の更新として、表示面１３１には現在選択されている機器を示すアイコンとしてＭＤよりＭＤＣに替わり、次に選択される機器を示すアイコンとしてＭＤＣよりＭＤに変えて表示される共に、各アイコンの下にはそれぞれＭＤ、ＭＤＣの文字が同じく表示形態を変えて表示される。
【００５５】
表示面１３３には、ＭＤＣにおける演奏ディスクを示す「ＤＩＳＣ」という文字と数値表示が変わる演奏ディスク番号が表示され、これら表示の下には演奏ディスクを進める際の操作記号「╋」が表示面１３４の右側に、また、表示面１３４左側には演奏ディスクを戻す際の操作記号「━」がそれぞれ表示される。
表示画面の更新後にＭＤＣの稼働状態となる（ステップＳ４３５−１１）。
ＭＤＣの稼働中にＳＷ１のＯＮは判定されたならば、各表示面をＭＤ対応の画面に更新する（ステップＳ４５３−１３）。
【００５６】
ここでＭＤ稼働時における表示デバイスの表示処理を図２０（ｂ）のフローチャートについて説明する。ＭＤを稼働中に、表示面１３４をキートップとするＭＦスイッチ（ＳＷ４）からのＳＷ４信号を検出する（ステップＳ４３５−５Ｂ）。  次にトラック番号を示すｎを０に初期化する（ステップＳ４３５−５Ｃ）。検出したＳＷ４信号よりシーソスイッチの右側がＯＮか否かを判定する（ステップＳ４３５−Ｄ）。右側がＯＮであることが判定されたならば、ｎ（初期値０）に１を加えトラック番号を進める（ステップＳ４３５−Ｅ）。
【００５７】
１であるｎはレジスタｍに移され、レジスタｍの内容はトラック番号として表示面１３４の表示される（ステップＳ４３５−Ｇ，Ｓ４３５−Ｈ）。トラック番号を表示後、再度ＳＷ４信号を検出し、ＯＮでなければトラック番号を維持して表示する（ステップＳ４３５−Ｉ，Ｓ４３５−Ｈ）。ステップＳ４３５−Ｄ，Ｓ４３５−Ｅ，Ｓ４３５−Ｇ，Ｓ４３５−Ｈ，Ｓ４３５−Ｉの各ステップを通してトラックを進める内に、ステップＳ４３５−ＤにおいてＳＷ４の左側がＯＮになったことが判定されたならば、レジスタｍの内容より１を減算し、その内容を戻したトラック番号として表示する（ステップＳ４３５−Ｆ、Ｓ４３５−Ｈ）。
【００５８】
また、ＭＤＣの稼働時においては、表示面４のトラック番号の増減表示に加えて表示面３に演奏ディスク番号の増減が表示される。ＭＤＣ稼働時の表示デバイスの処理として、演奏ディスク番号の増減表示処理を図２１（ａ）のフローチャートを参照して説明する。
【００５９】
ＭＤＣを稼働中に、表示面１３３をキートップとするＭＦスイッチ（ＳＷ３）からのＳＷ３信号を検出する（ステップＳ４３５−１１Ａ）。次に演奏ディスク番号を示すｎを０に初期化する（ステップＳ４３５−１１Ｂ）。検出したＳＷ３信号よりシーソスイッチの右側がＯＮか否かを判定する（ステップＳ４３５−１１Ｃ）。右側がＯＮであることが判定されたならば、ｎ（初期値０）に１を加え演奏ディスク番号を進める（ステップＳ４３５−１１Ｄ）。１であるｎはレジスタｍに移され、レジスタｍの内容は演奏ディスク番号として表示面１３３に表示される（ステップＳ４３５−１１Ｆ，Ｓ４３５−１１Ｇ）。演奏ディスク番号を表示後、再度ＳＷ３信号を検出し、ＯＮでなければ演奏ディスク番号を維持して表示する（ステップＳ４３５−１１Ｇ，Ｓ４３５−１１Ｈ）。ステップＳ４３５−１１Ｃ，Ｓ４３５−１１Ｄ，Ｓ４３５−１１Ｆ，Ｓ４３５−１１Ｇ，Ｓ４３５−１１Ｈの各ステップを通して演奏ディスクを進める内に、ステップＳ４３５−１１Ｃにおいてシーソスイッチの左側がＯＮになったことが判定されたならば、レジスタｍの内容より１を減算し、その内容を戻した演奏ディスク番号として表示する（ステップＳ４３５−１１Ｅ，Ｓ４３５−１１Ｈ）
ＭＤＣ稼働時の表示デバイスの処理として、トラックの増減処理を図２１（ｂ）のフローチャートに示すが、その処理は実質的に演奏ディスク番号の増減表示処理と同様である。
【００６０】
尚、ＣＤモード、一枚プレーヤモード、チェンジャーモード、テレビモード、オプションモード、ＡＭチューナモード、ＦＭチューナモードーオにおいても数値の増減表示処理、現在選択されている機器から次に選択される機器の切り替え選択処理に関しては、ＭＤモードにおける各処理と共通する。
【００６１】
次に、表示面１３２に「ＰＬＡＹ  ＭＯＤＥ」と表示されたＭＦスイッチ１３の機能を図１２により説明する。操作ボタン１５Ａ２（図１１参照）の押下により一枚プレーモードを選択し、各表示面１３１〜１３４を初期画面にした後に、「ＰＬＡＹ  ＭＯＤＥ」部分を押すと表示面１３１〜１３４は、「戻る」、「ＳＣＡＮ」、「ＲＡＮＤ」、「ＲＰＴ」という表示にそれぞれ変わる。
【００６２】
ここで、「戻る」という部分を押すと、各表面１３１〜１３４は初期画面に戻る。操作対象が「ＭＤ」であれば、「ＳＣＡＮ」という部分を押すと、トラックを１から例えば２０まで順に選曲して再生する。「ＲＡＮＤ」という部分を押すと、選曲トラック順序を特に決めずにランダムに選曲し再生する。「ＲＰＴ」という部分を押すと、現在聴いている曲を繰り返し再生する。
【００６３】
操作ボタン１５Ａ２（図１１参照）の押下によりＣｈａｎｇｅｒモードを選択し、各表示面１３１〜１３４を初期画面にした後に、「ＰＬＡＹ  ＭＯＤＥ」部分を押すと表示面１３１〜１３４は、「戻る」、「（ＤＩＳＣ／ＳＣＡＮ）：ＳＣＡＮ」、「（ＤＩＳＣ／ＲＡＮＤ）：ＲＡＮＤ」、「（ＤＩＳＣ／ＲＡＮＤ）ＲＰＴ」という表示にそれぞれ変わる。
【００６４】
ここで、「戻る」という部分を押すと、各表面１３１〜１３４は初期画面に戻る。操作対象が「ＭＤＣ」であれば、「ＳＣＡＮ」という部分を押すと、現在聴いているＭＤ内の全曲における始めの部分を約１０秒間次々に再生する。そして、再度、「ＳＣＡＮ」を操作すると、スキャンモードが解除され、その曲（再生されている曲）を再生する。
「ＲＡＮＤ」という部分を押すと、現在聴いているＭＤ内の中からランダムに選曲し再生する。そして、再度、「ＲＡＮＤ」を操作すると、ランダムモードが解除され、その曲（再生されている曲）を再生する。
「ＲＰＴ」という部分を押すと、現在聴いている曲を繰り返し再生する。そして、再度、「ＲＰＴ」を操作すると、リピートモードが解除される。解除されるまで同じ曲を繰り返し再生する。
【００６５】
しかし、「ＤＩＳＣ／ＳＣＡＮ」という部分を押すと、チェンジャー内の全てのＣＤにおける１曲目の始めの部分を約１０秒間次々に再生する。そして、再度「ＤＩＳＣ／ＳＣＡＮ」を操作するとディスクスキャンモードが解除され、そのＣＤ曲（再生されているＣＤ曲）を再生する。
「ＤＩＳＣ／ＲＡＮＤ」という部分を押すと、チェンジャー内の中（全曲＝ディスク・曲、全てランダム）からランダムに選曲し再生する。
「ＤＩＳＣ／ＲＰＴ」という部分を押すと、現在聴いているＣＤを繰り返し再生する。再度、「ＤＩＳＣ／ＲＰＴ」を操作すると、ディスクリピートモ−ドが解除される。ディスクリピートモ−ドが解除されるまで同じＣＤを繰り返し再生する。
図１０に記載した「ＰＬＡＹ  ＭＯＤＥ」の機能に関しても同様である。
【００６６】
【発明の効果】
請求項１の発明によれば、操作ボタンを操作する毎に、操作対象機器を示すキャラクタを表示手段より前記操作ボタン上に表示するスイッチ部と、操作対象機器を設定する対象機器設定手段と、この対象機器設定手段の出力より、設定された操作対象機器を判定する対象機器判定手段と、この判定された操作対象機器より、前記操作ボタンが現在操作される操作対象機器の次に操作する操作対象機器を決定する操作順序決定手段と、この操作順序決定手段で決定された前記各操作対象機器の操作順序に従って前記現在操作される操作対象機器と次に操作される操作対象機器とをそれぞれ示すキャラクタを生成して前記表示手段に送る画像生成手段と、前記操作ボタンの操作を検出して前記画像生成手段に伝える操作検出手段とを備え、前記画像生成手段は前記操作検出手段の操作検出結果に基づき、現在操作される操作対象機器と次に操作される操作対象機器とをそれぞれ示すキャラクタを更新することで、ユーザは表示されたキャラクタを見ることで、次にどのような操作対象機器が選択できるのか判断できるため使い勝手に優れた多機能スイッチを提供できるという効果がある。
【００６７】
請求項２の発明によれば、対象機器設定手段は操作対象機器を少なくとも２つ設定し、これら操作対象機器を切り替え設定することで、目的とする操作対象機器を少ないスイッチ操作回数で選択できるという効果がある。
【００６８】
請求項３の発明によれば、操作ボタンは現在操作される操作対象機器に対して次に操作される複数の操作対象機器の内、少なくとも２つを切り替えて選択できるスイッチ部を備え、前記画像生成部は、次に操作される操作対象機器を示すキャラクタ画像を少なくとも２つ生成して前記表示手段に送ることで、１回のスイッチ操作回数で複数の操作対象機器を選択できるため選択範囲が広がるという効果がある。
【００６９】
請求項４の発明によれば、画像生成部は、前記操作ボタンによる次に操作される操作対象機器の選択時、前記表示手段に表示された現在操作される操作対象機器のキャラクタを、選択された次に操作される操作対象機器のキャラクタの表示にスクロールして前記表示部のキャラクタを更新することで、次に選択される操作対象機器をより明確に確認できるという効果がある。
【図面の簡単な説明】
【図１】図１は本発明の表示機能付多機能スイッチ装置の基本構成図である。
【図２】図２本発明の表示機能付多機能スイッチ装置が適用可能なセンターコンソールを含む自動車のダッシュボード回りの要部斜視図である。
【図３】図３は本発明の実施の形態１に係る表示機能付多機能スイッチ装置の要部正面図である。
【図４】図４はプッシュスイッチを用いた多機能スイッチの縦断面図である。
【図５】図５はシーソスイッチを用いた多機能スイッチの縦断面図である。
【図６】図６は図３の多機能スイッチの表示面１３ａに表示される同一機種間で現在選択されている機器のアイコンと次に選択される機器のアイコンの遷移を説明する図である。
【図７】図７は図３の多機能スイッチの表示面１３ａに表示される異なる機種間で現在選択されている機器のアイコンと次に選択される機器のアイコンの遷移を説明する図である。
【図８】図８は図３の多機能スイッチの表示面１３ａに表示される現在選択されている受信受信周波数と次に選択される受信受信周波数の遷移を説明する図である。
【図９】図９は本発明の実施の形態２に係る表示機能付多機能スイッチ装置の要部正面図である。
【図１０】図１０は図９の表示面に表示されるＣＤモードおよびＭＤモードの案内画面の説明図である。
【図１１】図１１は本発明の実施の形態２に係る表示機能付多機能スイッチ装置の変形例の要部正面図である。
【図１２】図１２は図１１の表示面に表示されるＤＩＳＣモードおよびＣｈａｎｇｅｒモードの案内画面の説明図である。
【図１３】図１３は図１１の表示面に表示されるＴＶモードおよびＯｐｔｉｏｎモードの案内画面の説明図である。
【図１４】図１４は図１１の表示面に表示されるＡＭモードおよびＦＭモードの案内画面の説明図である。
【図１５】図１５は本発明に係る表示機能付多機能スイッチ装置の電気的な概略構成のブロック図である。
【図１６】図１６は図１５のマイクロコンピュータのＲＯＭに格納された制御プログラムに従いＣＰＵが行う処理を示すフローチャートである。
【図１７】図１７は図１５のマイクロコンピュータのＲＯＭに格納された制御プログラムに従いＣＰＵが行う処理を示すフローチャートである。
【図１８】図１８は図１５のマイクロコンピュータのＲＯＭに格納された制御プログラムに従いＣＰＵが行う処理を示すフローチャートである。
【図１９】図１９は図１５のマイクロコンピュータのＲＯＭに格納された制御プログラムに従いＣＰＵが行う処理を示すフローチャートである。
【図２０】図２０は図１５のマイクロコンピュータのＲＯＭに格納された制御プログラムに従いＣＰＵが行う処理を示すフローチャートである。
【図２１】図２１は図１５のマイクロコンピュータのＲＯＭに格納された制御プログラムに従いＣＰＵが行う処理を示すフローチャートである。
【符号の説明】
１３      操作ボタン
１３ｄ    表示手段
１５      対象設定手段
１５Ａ    ダイレクト切り替えボタン
１６      マイクロコンピュータ
１６ａ    ＣＰＵ
１６ｂ    ＲＡＭ
１６ｃ    ＲＯＭ
１６ａ１  対象機器判定手段
１６ａ２  操作順序決定手段
１６ａ３  画像生成手段
１６ａ４  操作検出手段
【図１】
0004243007.tif 000002
【図２】
0004243007.tif 000003
【図３】
0004243007.tif 000004
【図４】
0004243007.tif 000005
【図５】
0004243007.tif 000006
【図６】
0004243007.tif 000007
【図７】
0004243007.tif 000008
【図８】
0004243007.tif 000009
【図９】
0004243007.tif 000010
【図１０】
0004243007.tif 000011
【図１１】
0004243007.tif 000012
【図１２】
0004243007.tif 000013
【図１３】
0004243007.tif 000014
【図１４】
0004243007.tif 000015
【図１５】
0004243007.tif 000016
【図１６】
0004243007.tif 000017
【図１７】
0004243007.tif 000018
【図１８】
0004243007.tif 000019
【図１９】
0004243007.tif 000020
【図２０】
0004243007.tif 000021
【図２１】
0004243007.tif 000022